(57)【要約】【課題】  ディスク式撮影装置等の記録ディスク状記録媒体を用いた撮影装置内にディスク状記録媒体を着脱させる際に外装ケースに設けたハンドストラップに依ってディスク開閉蓋が完全に開蓋されない弊害を除く。【解決手段】  ディスク式撮影装置の外装ケース７に対しディスク開閉蓋９をディスク収納室８に対し１枢軸点を中心に回動可能、或は外装ケース７に対し摺動可能とする。【選択図】        図１
2005071426.tif 000002
【特許請求の範囲】
【請求項１】
ディスク状記録媒体を着脱自在に装着させる外装ケース本体のハンドストラップを有する側のディスク側パネル面に開閉自在に設けられた開閉蓋を有するディスク状記録媒体を用いた撮影装置において、
上記開閉蓋を上記外装ケース本体の上記ディスク状記録媒体の装着された開口部に対し、摺動自在に構成させたことを特徴とするディスク状記録媒体を用いた撮影装置。
【請求項２】
前記外装ケース本体の前記ディスク側パネル面に平行に前記ディスク状記録媒体を装着させ、該ディスク状記録媒体の主面と平行に前記開閉蓋を摺動可能と成したことを特徴とする請求項１記載のディスク状記録媒体を用いた撮影装置。
【請求項３】
ディスク状記録媒体を着脱自在に装着させる外装ケース本体のハンドストラップを有する側のディスク側パネル面に開閉自在に設けられた開閉蓋を有するディスク状記録媒体を用いた撮影装置において、
上記開閉蓋を上記外装ケース本体の上記ディスク状記録媒体の装着された開口部に対し、１点を枢軸として上記開閉蓋を回動可能に構成させたことを特徴とするディスク状記録媒体を用いた撮影装置。
【請求項４】
前記外装ケース本体の前記ディスク側パネル面に平行に前記ディスク状記録媒体を装着させ、該ディスク状記録媒体の主面と平行となる様に前記開口部に回動自在に枢着させた前記開閉蓋を回動可能と成したことを特徴とする請求項３記載の記載ディスク状記録媒体を用いた撮影装置。
【請求項５】
ディスク状記録媒体を用いた撮影装置であって、
略々直方体の形状をなし、前面に撮影レンズ、該前面に対向する後面にビューファインダ、該前面と該後面とを連結する一の側面に支持ベルト、内部にディスク状記録媒体装置を有し、
上記支持ベルトにより該一の側面を手で保持しながら、上記撮影レンズで撮影した映像を上記ビューファインダにより眼で確認しながら上記ディスク状記録媒体装置に記録する様構成されたディスク状記録媒体を用いた撮影装置において、
上記支持ベルトは上記撮影装置の前部と後部を連結するように上記一の側面の下部に取付けられ、
上記ディスク状記録媒体装置は裸のディスク状記録媒体を上記一の側面に対し略平行な状態で装着可能に構成されていて、
上記一の側面には開閉蓋が設けられ、該開閉蓋を開けた状態で上記ディスク状記録媒体を上記ディスク状記録媒体装置に脱着可能に構成されると共に、
該開閉蓋は上記一の側面に対し略平行に相対的に移動することにより開閉するよう構成されたことを特徴とするディスク状記録媒体を用いた撮影装置。
【発明の詳細な説明】
【技術分野】
【０００１】
本発明は、ディスク状記録媒体に対して情報信号の記録及び／又は再生が可能なディス状記録媒体を用いた撮影装置に係わり、特に、ディスク状記録媒体をビデオ情報記憶メディアとして使用するディスク状記録媒体を用いた撮影装置に関する。
【背景技術】
【０００２】
従来の、ディスク状記録媒体を記憶メディアとして用いるディスク記録及び／及び再生可能としたディスク状記録媒体を用いた撮影装置としては、例えば、特許文献１に記載されているようなものがある。この特許文献１にはＤＶＤ（Ｄｉｇｉｔａｌ  Ｖｅｒｓａｔｉｌｅ  Ｄｉｓｃ）等の光ディスクをカートリッジに収納したままディスク収納部に挿入する様に成した光ディスク付きビデオカメラが開示されている。
【０００３】
図５（ａ）〜（ｅ）は特許文献１に開示された構成を示すもので、図５（ａ）〜（ｅ）はディスクデッキ部５１でのディスクカートリッジ５３の挿入／イジェクト手段の具体例を示す斜視図であって、図５（ａ）〜（ｅ）で５１はディスクデッキ部、５２はファインダ、５４はレンズ部、５５は液晶モニタであり、図５（ａ）は、ディスクデッキ部５１のディスクカバー５１ｃを開閉可能とし、このディスクカバー５１の内側にカートリッジ挿入口５１ｂを備えたカートリッジ収納部を設けたものである。この場合には、イジェクトボタン（図示せず）を操作することにより、ディスクカバー５１ｃが図示するように開くことになる。カートリッジ挿入口５１ｂからディスクカートリッジ５３を挿入した後では、指で押すことにより、ディスクカバー５１ｃは閉じてＤＶＤがディスクデッキ部５１に装着される。
【０００４】
図５（ｂ）はカートリッジ挿入口５１ｂをディスクデッキ部５１の背面側の端面に設けたもの、図５（ｃ）はカートリッジ挿入口５１ｂをディスクデッキ部５１の前面側の端面に設けたもの、図５（ｄ）はカートリッジ挿入口５１ｂをディスクデッキ部１の上面に設けたもの、図５（ｅ）はカートリッジ挿入口５１ｂをディスクデッキ部５１の底面に設けたものであり、これらいずれも、カートリッジ挿入口５１ｂから手でディスクカートリッジ５３を押し込むことにより、ＤＶＤはディスクデッキ部５１内に装着され、イジェクトボタン（図示せず）を操作することにより、ＤＶＤが装着されていたディスクカートリッジ５３がカートリッジ挿入口５１ｂからイジェクトされる。
【０００５】
上述の如き構成のビデオカメラの場合はＤＶＤをカートリッジに収納してビデオカメラ内にローディングする様にしているが、ＤＶＤ等の光ディスクを裸のままビデオカメラ等に装着させる。装着方法では光ディスクの記録面を汚し、特に高記録密度化されたＤＶＤやブルーレーザで記録・再生が行なわれるビデオレコーダ等では特に問題と成る。
【０００６】
本出願人はＤＶＤ等の光ディスクを裸のまま撮影装置本体に装着出来る様にしたディスク状記録媒体を用いた撮影装置を特許出願している。この様な記録ディスク状記録媒体を用いた撮影装置の構成を図４によって説明する。
【０００７】
図４に示す撮影装置１は、ディスク状記録媒体を用いた撮影装置の一形態例を示すもので、情報記憶メディアであるディスク状記録媒体の一具体例としてＤＶＤを使用し、光学的な画像をＣＣＤ（固体撮影素子）で電気的な信号に変換してＤＶＤに記録し、液晶モニタ等の表示装置に表示できるようにしたもの（以下「ディスク式撮影装置」という。）である。
【０００８】
このディスク式撮影装置１は、図４に示すように、着脱自在に装着されるＤＶＤ２を回転駆動して情報信号の記録（書き込み）及び再生（読み出し）を行うディスクドライブ装置３と、このディスクドライブ装置３の駆動制御等を行う制御回路が外装ケース７内に設けられた被写体の像を光として取り込んでＣＣＤに導くレンズ装置６と、これらディスクドライブ装置３等が収納される外装ケース７と、この外装ケース７に回動自在に取り付けられてディスク収納部８を開閉可能に覆うことができるディスク開閉蓋９とで構成されている。
【０００９】
外装ケース７は、ディスクドライブ装置３等を両側から挟むように組み合わされるディスク側パネル１２及び後面側の基板側パネル１３と、レンズ装置６の光軸方向の前後に配置されて両パネル１２，１３と組み合わされるフロントパネル１４及びリアパネル１５とからなり、これらによって中空の略直方体の形状の筐体が構成されている。レンズ装置６は外装ケース７の上部に固定されていて、その対物レンズがフロントパネル１４の上部を前方に貫通して前面に露出されている。外装ケース７の内部において、レンズ装置６の後方にＣＣＤが配置されており、そのＣＣＤの後方にビューファインダ１７が配置されている。
【００１０】
ビューファインダ１７は外装ケース７の上部に露出されていて、前側を回動中心として後部を上下方向へ回動可能に構成されている。これによりビューファインダ１７は、レンズ装置６の光軸と平行をなす水平状態から、後部を上方へ持ち上げた上向き状態まで所定角度範囲内で任意角度に角度調節可能とされている。更に、外装ケース７の上部には、ビデオライトや外付けマイクロホン等が着脱自在に装着されるアクセサリーシュー１８がビューファインダ１７の前側に取り付けられている。そして、フロントパネル１４のレンズ装置６の下側にはステレオ方式のマイクロホン２０が内蔵されている。
【００１１】
外装ケース７のリアパネル１５の略中央部には、電源バッテリーが着脱自在に装着されるバッテリー収納部が設けられている。バッテリー収納部は外装ケース７の上面及び背面に開口されていて、電源バッテリーは後方斜め上方から差し込み及び取り出し可能とされている。更に、リアパネル１５には、吊り下げ用ストラップのための２個の取付金具２５が設けられている。２個の取付金具２５のうち、一方の取付金具２５は右サイドの上部に配置され、他方の取付金具２５は左サイドの下部に配置されている(図３参照)。
【００１２】
外装ケース７の後面側の基板側パネル１３には、表示装置２７が姿勢変更可能に取り付けられている。表示装置２７（図３参照）は、平板状の液晶モニタと、この液晶モニタが収納されたパネルケースと、このパネルケースを外装ケース７に対して姿勢変更可能に支持するパネル支持機構とから構成されている。
【００１３】
外装ケース７のディスク側パネル１２には、ディスクドライブ装置３の一部を露出させるための開口部からなるディスク収納室８が設けられている。このディスク収納室８の略中央部にはディスクドライブ装置３のターンテーブルが配置され、ディスクドライブ装置３は外装ケース７に支持されている。このディスク収納室８はディスク開閉蓋９によって開閉可能に覆われている。
【００１４】
ディスク開閉蓋９は、ディスク収納室８の形状に見合う形状とされていて、ディスク収納室８の平面側を覆う平面部と、この平面部の一部に連続してディスク収納室８の側面切欠き部を覆う側面部９ｂを有している。更に、ディスク開閉蓋９の下端両側部には一対の軸受部９ｃ，９ｃが設けられており、これらの軸受部９ｃ，９ｃには支持軸３８が回動自在に挿通されている。支持軸３８の両端は各軸受部９ｃから外側に突出されていて、それらの突出端がディスク側パネル１２に固定されている。これによりディスク開閉蓋９が、支持軸３８を介してディスク側パネル１２に回動自在に支持されている。
【００１５】
また、支持軸３８には捩りバネ３９が装着されており、捩りバネ３９の一端のバネ片はディスク開閉蓋９に係止され、他端のバネ片はディスク側パネル１２に係止されている。これによりディスク開閉蓋９は、捩りバネ３９のバネ力によってディスク収納室を開放する方向に常時付勢されている。更に、ディスク開閉蓋９とディスク側パネル１２との間には、ディスク開閉蓋９の開放量を制限するリンク機構４０が掛け渡されている。リンク機構４０は、ディスク開閉蓋９に回動自在に支持された蓋側リンク４１と、ディスク側パネル１２に回動自在に支持されたパネル側リンク４２とからなり、両リンク４１，４２の先端部は互いに回動自在に連結されている。
【００１６】
ディスク開閉蓋９は、支持軸３８から最も離れた部分に配設された蓋ロック装置４４により、ディスク収納室８を閉じた状態においてロック可能に構成されている。この蓋ロック装置４４は、ディスク側パネル１２に摺動可能に取り付けられたスライド部材４５を備えて構成されている。蓋ロック装置４４にはロック爪が設けられている一方、スライド部材４５にはロック爪に係合可能な爪ストッパが設けられている。スライド部材４５の爪ストッパは、バネ部材のバネ力によってロック爪の移動軌跡上に配置されている。
【００１７】
かくして、ディスク開閉蓋９をディスク側パネル１２側に押し付けることにより、爪ストッパに係合されるロック爪がバネ部材のバネ力に抗してスライド部材を後退させる。その結果、爪ストッパがロック爪を乗り越え、爪ストッパとロック爪が互いに係合される。これにより、ディスク収納室８がディスク開閉蓋９によって閉じられ、ディスク開閉蓋９がディスク側パネル１２にロックされる。このロックの解除は、バネ部材のバネ力に抗してスライド部材４５をロック解除方向へスライド動作させることによって行うことができる。
【００１８】
また、ディスク側パネル１２には、ディスク開閉蓋９を囲うようにハンドストラップ４６が取り付けられている。ハンドストラップ４６は、外装ケース７の把持部とされたディスク開閉蓋９部分を把持するユーザーの手の甲部分を支えて、ディスク式撮影装置１の取り落とし等を防止するものである。
【００１９】
このハンドストラップ４６は、両端がディスク側パネル１２に固定された支持ベルト４６ａと、この支持ベルト４６ａに装着されてユーザーの手の甲部分に当接される保護パット４６ｂから構成されている。支持ベルト４６の一端はディスク側パネル１２の前側下部に固定された取付金具４７に固定され、他端はディスク側パネル１２の後側中途部に設けた貫通穴から内側に挿入されて、その内部に設けられた取付金具に固定されている。
【特許文献１】特開２００３−１１１８７７号公報
【発明の開示】
【発明が解決しようとする課題】
【００２０】
上述の本出願人が提案した図４のディスク式撮影装置１によると通常の使用状態ではディスクの開閉蓋９は、軸受部９ｃ，９ｃに回動自在に枢着された支持軸３８を中心として、図３に示す閉蓋状態から紙面と反対方向の矢印Ａで示す方向に回動して開蓋状態とすることが出来る。
【００２１】
然し、ディスク開閉蓋９が撮影時にディスク式撮影装置１をクリップする際に用いるハンドストラップ４６の保護パット４６ｂにディスク開閉蓋９の外表面が当接してディスク収納室８の開口面より略４５°程度しか開かなくなる。このためにディスクドライブ装置３のターンテーブルに裸のＤＶＤ２を装着、或は離脱させ様としても着脱させ難くなり、ハンドストラップ４６を取付金具４７から取り外した状態でＤＶＤ２をターンテーブルに装着させ或は離脱させなければならない煩わしさがあった。
【００２２】
本発明は叙上の問題を除去するためになされたもので、発明が解決しようとする課題は、ハンドストラップ４６の保護パット４６ｂ等があってもＤＶＤ２を容易にディスク収納室８内のディスクドライブ装置３を構成するターンテーブルに着脱出来る様に成したディスク式撮影装置を得ることを目的とするものである。
【課題を解決するための手段】
【００２３】
第１の本発明はディスク記録ディスク状記録媒体を用いた撮影装置に設けたハンドストラップに邪魔されることなくディスク状記録媒体を着脱自在にディスク収納室に装着させる様にしたものである。
【００２４】
第２の本発明はディスク状記録媒体を着脱自在に装着させる外装ケース本体のハンドストラップを有するディスク側パネルに開閉自在に設けられた開閉蓋を有するディスク記録ディスク状記録媒体を用いた撮影装置において、開閉蓋を外装ケースのディスク状記録媒体の装着された開口部に対して摺動自在に構成させたことを特徴とする記録ディスク状記録媒体を用いた撮影装置としたものである。
【００２５】
第３の本発明はディスク状記録媒体を着脱自在に装着させる外装ケース本体のハンドストラップを有するディスク側パネル面に開閉自在に設けられた開閉蓋を有する記録ディスク状記録媒体を用いた撮影装置において、開閉蓋を外装ケース本体のディスク状記録媒体の装着された開口部に対し、１点を枢軸として開閉蓋を回動可能に構成させたことを特徴とする記録ディスク状記録媒体を用いた撮影装置としたものである。
【００２６】
第４の本発明はディスク状記録媒体を用いた撮影装置であって略々直方体の形状をなし、前面に撮影レンズ、この前面に対向する後面にビューファインダ、これら前面と後面とを連結する一の側面に支持ベルト、内部にディスク状記録媒体装置を有し、支持ベルトにより一の側面を手で保持しながら、撮影レンズで撮影した映像をビューファインダにより眼で確認しながらディスク状記録媒体装置に記録する様に構成されたディスク状記録媒体を用いた撮影装置において、支持ベルトは撮影装置の前部と後部を連結するように一の側面の下部に取付けられ、ディスク状記録媒体装置は裸のディスク状記録媒体を一の側面に対し略平行な状態で装着可能に構成されていて、一の側面には開閉蓋が設けられ、開閉蓋を開けた状態でディスク状記録媒体をディスク状記録媒体装置に脱着可能に構成されると共に、開閉蓋は一の側面に対し略並行に相対的に移動することにより開閉するよう構成されたことを特徴とするディスク状記録媒体を用いた撮影装置としたものである。
【発明の効果】
【００２７】
本発明のディスク式撮影装置によると、ディスク開閉蓋側に設けられたハンドストラップに邪魔されることなくディスク開閉蓋を開閉して、ＤＶＤ等のディスク状記録媒体を交換可能なものが得られる。
【発明を実施するための最良の形態】
【００２８】
以下、本発明の１形態例を図１及び図２を用いて詳記する。図１は本発明のディスク記録ディスク状記録媒体を用いた撮影装置の１形態例を示す撮影装置のディスク開閉蓋を開いた状態を示す斜視図、図２は本発明のディスク記録ディスク状記録媒体を用いた撮影装置の他の形態例を示す開閉蓋をスライドさせた状態を示す斜視図である。
【００２９】
図１及び図２において、図３及び図４との対応部分には同一符号を付して重複説明を省略する。図１及び図２は外装ケース７の液晶パネル２７が配設される側を下側にしてディスク側パネル１２を上側にした状態を示すもので、ディスク状記録媒体として利用可能な担体としては光ディスク、光磁気ディスク、ＨＤＤ（ハードディスクドライブ）用のハードディスク（ＨＤ）、ＣＤ、ＣＤ−ＲＯＭ、ＭＤ（ミニディスク）、ＤＶＤやブルーレーザ用の高密度ＤＶＤ等のオーディオ、ビデオ情報信号が記録可能なディスク状記録媒体を用いて撮影することの出来る裸のディスクをディスクドライブ装置３に装着することが出来て、各ディスクに対応したピックアップ手段をも搭載している。
【００３０】
図１及び図２において、図３にも示されているが外装ケース７のリアパネル１５の略中央部には、電源バッテリー２１が着脱自在に装着されるバッテリー収納部２２が設けられている。バッテリー収納部２２は外装ケース７の上面及び背面に開口されていて、電源バッテリー２１は後方斜め上方から差し込み及び取り出し可能とされている。更に、リアパネル１５には、吊り下げ用ストラップのための２個の取付金具２５が設けられている。２個の取付金具２５のうち、一方の取付金具２５は図３において右サイドの上部（図１、２では上面側）に配置され、他方の取付金具２５は左サイドの下部（図１、図２では底面側）に配置されている。
【００３１】
また図１及び図２に示すように、ディスク側パネル１２の後側中途部には、電源スイッチ６４と録画ボタン６５とモード切換ダイヤル６６が配置されている。そして、ディスク側パネル１２の後側上部には、シャッタボタン６７とズームレバー６８が配置されている。
【００３２】
このような構成を有する外装ケース７の材料としては、例えば、ＡＢＳ（アクリロニトリル・ブタジエン・スチレン樹脂）が好適であるが、その他のエンジニアリングプラスチックを適用できることは勿論のこと、合成樹脂以外のアルミニウム合金等の金属を用いることもできる。
【００３３】
図１に示すディスク式撮影装置１では外装ケース７のディスク側パネル１２と一体に成形されたディスク収納室８の側面を形成する切欠き部１２ａと対向して一体化されるディスク開閉蓋９の側面切欠き部９ｂと、ディスク収納室８の形状に見合う形状とされ、ディスク収納室８を覆う平面部９ａとで構成され、外装ケース７のディスク側パネル１２のフロントパネル１４側の下部に枢軸７０を立設し、ディスク開閉蓋９の内面にディスク開閉蓋９の成形時に一体に形成した軸受部７１に回動自在に枢着する。なお、ここで枢軸７０と軸受部７１との間にネジ状の螺旋ガイドを設け、あるいは枢軸を少し傾けることにより、ディスク開閉蓋９を回動させて開蓋させるときに側面方向に移動するように構成してもよい。このように構成することにより、閉蓋させたときディスク開閉蓋９とディスク側パネル12を密着させ埃等が侵入しにくくすることが可能となる。
【００３４】
上述の構成のディスク開閉蓋９に依れば、ディスク開閉蓋９の平面部９ａは枢軸７０を中心に時計方向（ｃ方向）に回動させればディスクドライブ装置３のターンテーブル上に載置されたＤＶＤ２の主面と略平行にディスク開閉蓋９を開蓋することが出来る。また、ディスク開閉蓋９の枢軸７０を中心に反時計方向（ｃ′方向）に回転させれば、この開蓋状態ではハンドストラップ４６の保護パット４６ｂに当接して、ディスク開閉蓋９が開蓋されることはない。ディスク開閉蓋９の側面切欠き部９ｂがディスク収納室８の側壁部に設けた切欠き部１２ａと嵌合した状態で閉蓋状態と成すことが出来る。勿論、この場合のディスク蓋９のロック機構は図４で説明したと同様にスライド部材４５に設けた爪ストッパを蓋ロック装置４４にロックさせて、ディスク開閉蓋９を容易に開かない様に成されている。
【００３５】
次に図２に依って、本発明の他の形態のディスク式撮影装置を説明する。尚、図１との対応部分には同一符号を付して重複説明を省略する。
【００３６】
図２の場合はディスク開閉蓋９をフロントパネル１４側にスライドさせてディスク収納室８を完全にオープン状態可能と成したものである。
【００３７】
図２において、外装ケース７のディスク側パネル１２の前後壁を形成する底面パネル７７側及び上面パネル７２側に断面凸状の案内部７３を形成し、ディスク開閉蓋９の前後側壁９ｄ，９ｅに案内部７３と嵌まり合う断面凹状の案内溝７５を形成し、ディスク収納室８を覆う様な所定形状に成形した平面部９ａからなるスライド状のディスク蓋９を外装ケース７と同様の合成樹脂材料で成形する。
【００３８】
上述のディスク開閉蓋９の案内溝７５を外装ケース７に成形した案内部７３に嵌合させて、図２で矢印Ｄ−Ｄ′方向に摺動させることで、この場合もハンドストラップ４６の保護パット４６ｂに当接することなくスムーズにＤＶＤ２の取り出し及び装着を行なうことが出来る。
【００３９】
上述の構成では手動でディスク案内蓋９をスライドさせた場合を説明したがプランジャ等を用いてイジェクトボタンの操作でディスク開閉蓋９をイジェクト状態（図２に示す状態）にあるいは、閉蓋状態に容易に成すことが出来る。
【００４０】
さらに、上述の構成では外装ケース７側にディスクドライブ装置３を設けた場合を説明したがディスク開閉蓋９側に搭載し、ＤＶＤ２を基板側パネル１３側から着脱させる様にしてもよい。
【産業上の利用可能性】
【００４１】
本発明は、前述しかつ図面に示した実施の形態に限定されるものではなく、その要旨を逸脱しない範囲内で種々の変形実施が可能である。例えば、形態例では、ＤＶＤを記録媒体として用いたディスク式撮影装置に適用した例について説明したが、光磁気ディスクや磁気ディスク等の他の記録方式のディスク状記録媒体を用いることができる。さらに、本発明はディスク式撮影装置以外の電子機器、例えば、電子スチルカメラ、カメラ機能付きパーソナルコンピュータその他各種のハンドストラップを有する携帯型電子機器に適用可能である。
【００４２】
また、上記形態例では、ディスク記録ディスク状記録媒体を用いた撮影装置として再生のみならず、記録も可能な装置に適用した例について説明したが、再生専用のディスク再生装置や、記録専用のディスク記録装置に適用できることは勿論である。
【図面の簡単な説明】
【００４３】
【図１】本発明のディスク状記録媒体を用いた撮影装置の一形態例に係るディスク式撮影装置を示すもので、ディスク蓋を開いた状態の斜視図である。
【図２】本発明のディスク状記録媒体を用いた撮影装置の他の形態例に係るディスク式撮影装置を示すもので、ディスク蓋を開いた状態の斜視図である。
【図３】先願に係るディスク式撮影装置のディスク開閉蓋を閉じた状態を示す斜視図である。
【図４】先願に係るディスク式撮影装置のディスク開閉蓋を開いた状態を示す斜視図である。
【図５】従来のディスク挿入方法を説明するための斜視図である。
【符号の説明】
【００４４】
１…ディスク撮影装置（ディスク状記録媒体を用いた撮影装置）、２…ＤＶＤ（ディスク状記録媒体）、３…ディスクドライブ装置、６…レンズ装置、７…外装ケース、８…ディスク収納室、９…ディスク開閉蓋、１２…ディスク側パネル、１３…基板側パネル、２７…液晶パネル
【図１】
2005071426.tif 000003
【図２】
2005071426.tif 000004
【図３】
2005071426.tif 000005
【図４】
2005071426.tif 000006
【図５】
2005071426.tif 000007